(57)【要約】【解決手段】引き戸は、レール(10)と、滑動部(13)によりレール(10)に導かれる扉(12)とを備えている。扉(12)の経路は、制限部(15)によって制限されている。制限部(15)は、帯状の連結器(30)と共に腕部(31)を形成しており、該腕部(31)は、レール(10)と平行に延びて、ダンパ(20)の把持部(17)と係合するための連結部(32)を有している。扉(12)の高さが変わるときに連結部(32)又は把持部(17)の高さの調整が不必要であるように、連結部(32)は、平坦状の腕部(31)から横方向に突出している。
2011524478.tif 000002
【特許請求の範囲】
【請求項１】
ガイドレール(10)と、少なくとも１つの滑動部(13)により前記ガイドレール(10)に導かれる扉(12)と、該扉(12)の移動経路を制限する制限部(15)と、静かに閉じる機能を有するダンパ(20)と、該ダンパ(20)の把持部(17)と連動する連結器(30)とを備えており、引き戸を閉じる際に、前記ダンパ(20)がまず前記扉(12)の速度を落としてその後前記扉(12)を閉鎖位置に動かす前記引き戸において、
前記制限部(15)は、前記連結器(30)又はダンパ(20)と共に構造ユニット(35)を形成しており、
前記連結器(30)は、前記ガイドレール(10)と平行に延びる腕部(31)を含んでおり、該腕部(31)は、前記ダンパ(20)の把持部(17)と係合するための連結部を有していることを特徴とする引き戸。
【請求項２】
前記腕部(31)は、帯状且つ平坦であり、前記腕部(31)の面が前記扉(12)の面と平行であり、前記連結部は、前記腕部(31)から前記扉(12)の面に対し横方向に延びて前記扉(12)の面に向かって突出していることを特徴とする請求項１に記載の引き戸。  
【請求項３】
前記連結部が前記扉(12)から離れる方向に押されるように、前記腕部(31)は予め圧力が印加されており、
前記腕部(31)の前に設けられたカバーが、前記連結部の所定の位置を決めるべく前記腕部(31)の自由端部分のための支持体を形成していることを特徴とする請求項１又は２に記載の引き戸。
【請求項４】
前記連結部は、前記腕部(31)から突出する突出部(32)であり、該突出部(32)は、前記ダンパ(20)の把持部(17)の凹部(29)に嵌まることを特徴とする請求項１乃至３のいずれかに記載の引き戸。
【請求項５】
前記構造ユニット(35)は、前記扉(12)の左端側又は右端側のダンパ(20)又は連結器(30)と協働するように前記ガイドレール(10)の右端側又は左端側に任意に取り付けられるべく適合されていることを特徴とする請求項１乃至４のいずれかに記載の引き戸。
【請求項６】
前記扉(12)は、ガラス板であることを特徴とする請求項１乃至５のいずれかに記載の引き戸。
【請求項７】
前記構造ユニット(35)は、前記ガイドレール(10)上で長手方向に移動して係止されるべく適合されていることを特徴とする請求項１乃至６のいずれかに記載の引き戸。
【発明の詳細な説明】
【技術分野】
【０００１】
本発明は、引き戸に関し、特には、ガイドレールに導かれる滑動部を有する扉と、扉の経路を制限する制限部と、静かに閉じる機能を有するダンパと、ダンパの把持部と連動する連結部とを備えて、引き戸を閉じる際に、ダンパがまず扉の速度を落としてその後扉を閉鎖位置に動かすガラス製の引き戸に関する。
【背景技術】
【０００２】
扉の端停止部への激しい衝突を回避するために、端停止部に達する前に閉鎖移動を遅らせるダンパを備えた引き戸を設けることが知られている。ダンパは、引き戸の閉鎖移動中に扉の運動エネルギを吸収する。しかしながら、このようなダンパでは、扉が正確な閉鎖位置に達して該閉鎖位置にとどまり続けることが保証されない。扉が端停止部に衝突すると、扉が再度後ろに移動することがある。また、ダンパの把持部をダンパハウジングの方に引っ張るばねを更に備えるダンパが知られている。このようなダンパは、扉とガイドレール又は枠との両方に固定されることが可能であり、ダンパの把持部と連結部との係合により、ダンパの動作が開始される。扉の速度が速い場合、扉の速度はダンパの減衰機能によって下げられる。その後、ダンパのばねの張力が作用する。ばねの張力により、扉は、減衰力に抗して端の閉鎖位置に滑らかに動かされる。
【先行技術文献】
【特許文献】
【０００３】
【特許文献１】欧州特許出願公開第1426535号明細書
【発明の概要】
【発明が解決しようとする課題】
【０００４】
引き戸に関する一般的な課題は、ガイドレールと接続されたこれらの構成要素を、つまり、固定された構成要素と、扉に接続された構成要素とを相互に適合させることである。カム制御されたダンパを用いて扉の閉鎖位置に正確に達するように、引き戸を組み立てる際に十分注意する必要がある。扉の閉鎖位置に正確に達するためには、把持部の位置と連結部の位置との正確な一致が必要である。引き戸が組み立てられたときにこれらの位置が厳密に確認されていない場合、後での調整は非常に困難であり、場合によっては不可能である。
【０００５】
本発明は、把持部の位置と連結部の位置との誤った一致が事実上不可能であり、簡易に組立又は設置される引き戸を提供することを目的とする。
【課題を解決するための手段】
【０００６】
本発明の引き戸は、請求項１に定義されている。本発明の引き戸は、制限部が連結器又はダンパと共に構造ユニットを形成しており、連結器がガイドレールと平行に延びる腕部を有して、該腕部はダンパの把持部と係合するための連結部を有していることを特徴とする。
【０００７】
本発明の第１例によれば、端停止部を形成している制限部は、摺動移動の間ダンパの動作の開始を引き起こす連結器と組み合わされて構造ユニットを形成しており、構造ユニット全体は、ガイドレールに取り付けられるべく適合されている。第２例によれば、制限部及びダンパが組み合わされて、扉の枠に取り付けられたユニットを形成している。それにより、端停止部の位置と連結部又は把持部の位置とは、互いに定められており、誤った穿孔又は他の誤った取付が誤り又は不正確につながり得ないように固定されている。構造ユニットは、取り付けられるか又は作製されるとき、ガイドレールにのみ固定される。構造ユニットは、取付位置からトリガポイントまでの間隔を埋めている。トリガポイントは、ダンパの把持部を係止位置から解放すべく連結部がダンパの把持部に作用するポイントである。トリガ動作により、まず減衰動作が開始されて、その後、扉が端停止部に向かって押される。
【０００８】
本発明の好ましい実施形態によれば、ガイドレールと平行に延びる腕部は、平坦であり、例えば帯状の板金によって形成されてもよく、腕部の面は、扉の面と平行に延びている。腕部の自由端部分が、連結部を備えており、該連結部は、好ましくは、扉に向かって設けられて腕部から横方向に突出する突出部である。連結部は、垂直位置に固定されている。把持部を有するダンパは、扉に固定されている。設置後に、扉の縁を床及び扉の枠と平行に揃えるために、扉の高さは、一般的に調整されている。連結が扉又は把持部の取付高さに関係なく安全に行われるように、連結部、好ましくは横方向に突出する突出部は、ダンパの把持部より垂直方向に著しく大きい。連結部又は把持部の垂直方向の位置を調整する必要はない。
【０００９】
好ましい実施形態によれば、連結部が扉から離れる方向に押されるように、且つガイドレールの前に取り付けられたカバーが、連結部の所定の位置を決めるべく腕部の自由端部分の支持体を形成するように、腕部は予め圧力が加えられている。腕部は、水平面で弾性的に可撓性を有して、扉の面から外側に曲がっている一方、連結部は内側に突出している。このようにして腕部に予め圧力が印加されているので、腕部は、ガイドレールに固定されて正面ライニング部を形成するカバーの外形部分に接している。同時に、このライニング部は、予め圧力が印加された腕部の自由端部分の位置を決めるための停止部を形成している。それにより、連結部の待機位置にあるときの横方向の位置が定められて、ダンパの把持部が、ダンパの動作を開始させるべく機能に適した方法で連結部と対向することが保証される。
【００１０】
構造ユニットは、ガイドレールを形成するか又はガイドレールに接続されている外形レールに取り付けられてもよい。また、構造ユニットを移動可能に（且つ係止可能に）取り付けることも可能である。
【００１１】
本発明の好ましい実施形態では、連結部は、腕部から横方向に突出して、ダンパの把持部の凹部と係合係止する突出部である。代替案として、腕部に凹部を設けて、対応する突出部をダンパに設けることも可能である。
【００１２】
本発明の好ましい実施形態によれば、構造ユニットは、扉の右端側又は左端側のダンパ又は連結部と協働するように、右端側又は左端側に任意に取り付けられ得る。これは、単一の構造ユニットが、ガイドレールの右側又は左側のいずれかに選択的に取り付けられるべく適合されている点で有利である。このために、構造ユニットが、制限部の周りで180 度回転可能であり、扉の面と平行であるように、且つ構造ユニットが、材料へのあらゆる加工を必要とすることなく孔又はねじのような同一の固定要素を用いて両方の位置で固定され得るように、構造ユニットは設計されるべきである。
【００１３】
本発明の引き戸は、特には、しかし限定はしないが、ガラス製の引き戸に適している。滑動部は、ガラス製の扉の上部金属ホルダの一部である。従って、構造ユニット全体が、構成要素の正確な相互関係で簡易に取り付けられ得る場合、特に有利である。
【図面の簡単な説明】
【００１４】
【図１】引き戸を示す正面図である。
【図２】ダンパの動作を開始させるときの引き戸の嵌合状態を示す平面図である。
【図３】引込み機能を備えたダンパを示す概略図である。
【図４】第２の実施形態に係る引き戸を示す図である。
【発明を実施するための形態】
【００１５】
以下に、本発明の実施形態を図面を参照して詳細に説明する。
【００１６】
図１を参照すると、ガイドレール10が、扉開口部に水平に取り付けられており、扉12が追随するように取り付けられている扉キャリッジ11を導く。図示された実施形態では、扉キャリッジ11は２つの滑動部13を備えているが、一方の滑動部13のみが図１に示されている。滑動部13は、ガイドレール10に導かれるころ14を有しており、ガイドレール10では、ころ14は摩擦がない状態で回転する。
【００１７】
扉キャリッジ11は、２つの端部に緩衝停止部16を夫々備えており、該緩衝停止部16は、扉キャリッジ11の移動経路の端部で制限部15と衝突する。制限部15は、ガイドレール10に固定されており、好ましくは移動可能且つ係止可能に固定されている。
【００１８】
扉キャリッジ11は、１つ又は２つのダンパ20を備えている。図３は、このようなダンパ20を概略的に示している。ダンパ20は、図示されていないピストンが移動すべく配置されているシリンダ21を有する。ピストンロッド22がシリンダ21の一端部から延びており、ピストンロッド22の端部に摺動体23が固定されている。ばね24が、摺動体23と係合して、シリンダ21の他端部に接続されている。従って、ばね24は、ピストンロッド22をシリンダ21内に引っ張っている。摺動体23は、レール25に導かれる。レール25は、摺動体23がレール25と係合可能な係止位置を有するカム外形部26を含んでいる。図３に示された位置では、摺動体23は前端位置で係止されている。摺動体23は、ダンパ20の把持部17を形成している。把持部17は、２つの突起部28間に凹部29を有している。
【００１９】
摺動体23が時計回りに回転させられる場合、図３に示されているように、凹部29から突起部28に押し付けることによって、摺動体23はトリガポイントに摺動する。トリガポイントでは、摺動体23は、凹部29に嵌まるまでレール25に沿って自由に移動可能である。
【００２０】
図１及び２に示されているように、ダンパ20は、引き戸の前側からアクセス可能なように扉キャリッジ11に固定されている。引き戸の前側は、別の連結器30又は止め金を備えている。引き戸の前側は、細長い平坦状の腕部31を備えており、腕部31は、一端部で制限部15と接続されており、他端部で横方向に突出する突出部32を支持している。腕部31は、弾性を有して可撓性ばねとして機能する平板金属片である。腕部31の面は、一般的に扉12の面と平行である、つまり、垂直方向に設けられている。図２の平面図では、腕部31は、僅かに外側に（図２では下向きに）曲がっており、ガイドレール10及び滑動部13の両方を覆う正面ライニング部を形成するカバー（不図示）に接している。このカバーは、突出部32が第２の突起部28に確実に当接するように突出部32の位置を決めるための停止要素として機能する。腕部31の連結部とダンパ20の把持部17とを対向させるために、これらの構成要素のいかなる垂直方向の調整も必要ではなく、特に、扉12の垂直方向の調整が必要ではない。逆に、扉12を垂直方向に調整するために、同様にこれらの構成要素を垂直方向に調整する必要がない。
【００２１】
突出部32は、把持部17の凹部29と協働する。図２は、突出部32の凹部29内への係合を示している。更に、連結器30は、制限部15と共に構造ユニット35を形成しており、構造ユニット35は全体として、例えばねじ36を用いてガイドレール10の適切な位置に取り付けられている。従って、所定の距離が、制限部15の停止面37と連結器30の突出部32との間に確保されている。
【００２２】
図２では下向きの引き戸の嵌合状態の前側が、連結器30及び扉キャリッジ11を覆うカバー（不図示）で覆われている。
【００２３】
図１及び２に示されているように、扉キャリッジ11は、右側から左側に相当な速度で手動により移動されると仮定する。ダンパ20は、把持部17が前進している図３に示された状態にある一方、ダンパ20の摺動体23が僅かに傾斜した位置にある。第１の突起部28は、連結器30の突出部32を通過する。また突出部32は、更に突出した第２の突起部28と衝突し（図２）、それにより、把持部17は、レール25に沿って移動可能であるようにカム外形部26上で移動される。扉キャリッジ11の速度が速いため、流体ダンパであるダンパ20は、速度に比例して扉12の減速を引き起こす。同時に、ばね24の作用により、把持部17がシリンダ21に引っ張られる。それにより、図２に示されているように、扉キャリッジ11に固定されたシリンダ21が左方向に移動される。従って、ばね24は、緩衝停止部16が停止面37に衝突する閉鎖位置に扉キャリッジ11を引っ張る。扉キャリッジ11のこの端の閉鎖位置では、ばね24は比較的緩んだ状態である。引き戸がその後手動で開かれる場合、連結器30がまず把持部17を保持するので、把持部17が外側の端位置で嵌まるまでばね24に圧力が印加される（図３）。
【００２４】
図４に示された実施形態は、構造ユニット35が制限部15及びダンパ20によって形成されている一方、連結器30が扉キャリッジ11に取り付けられている例に関する。端停止部では、連結器30の停止面37が制限部15の緩衝停止部16に接する。また、制限部15に硬い端停止部を設けて、停止面37に柔らかい緩衝停止部を設けることも可能である。ダンパ20の構造は、第１の実施形態における構造と同一である。しかしながら、図４に示されているように、ダンパ20の構造は、制限部15を含む構造ユニット35の一部である。構造ユニット35は、ガイドレール10に取り付けられている。
【００２５】
連結器30は突出部32を有しており、該突出部32は、上述したようにダンパ20の把持部17と協働し、トリガポイントで扉12の減速を引き起こして、その後、扉キャリッジ11は閉鎖位置に引っ張られる。
【００２６】
図４に示された実施形態は、腕部31が帯状の平坦な材料から形成されて、腕部31の面が扉12の面と平行であるように変更可能である。従って、連結部は、ダンパ20の把持部17に向かって自由に突出する。この場合、把持部17は、水平に、つまり、扉12の面に横方向に設けられる。
【００２７】
本発明は、引き戸が閉鎖位置に正確に導かれるために、把持部17の動作が常に移動経路の正確な位置で開始されることを保証する。扉12が減衰経路の端部で残存速度を未だ有している場合であっても、緩衝停止部16及び停止面37はこれらの力を吸収する。扉12の端の閉鎖位置には、把持部17が負荷を過度に加えられないように、ダンパ20の把持部17と連結部の突出部32との間に間隙が設けられている。この過負荷防止は、突出部32の正確な位置決めを必要とし、それは本発明によって保証されている。
【図１】
2011524478.tif 000003
【図２】
2011524478.tif 000004
【図３】
2011524478.tif 000005
【図４】
2011524478.tif 000006
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
ガイドレール(10)と、少なくとも１つの滑動部(13)により前記ガイドレール(10)に導かれる扉(12)と、該扉(12)の移動経路を制限する制限部(15)と、前記扉(12)に固定されて静かに閉じる機能を有するダンパ(20)と、前記ガイドレール(10)に固定されて前記ダンパ(20)の把持部(17)と連動する連結器(30)とを備えており、引き戸を閉じる際に、前記ダンパ(20)がまず前記扉(12)の速度を落としてその後前記扉(12)を閉鎖位置に動かし、前記制限部(15)が前記連結器(30)と共に構造ユニット(35)を形成して、前記連結器(30)が、前記ガイドレール(10)と平行に延びる帯状の平坦な腕部(31)を含んでおり、該腕部(31)が、前記ダンパ(20)の把持部(17)と係合するための連結部(32)を有している前記引き戸において、
前記腕部(31)は、前記扉(12)の面と平行に延びており、前記連結部(32)は、前記扉(12)の面に対し横方向に延びて前記扉(12)の面に向かって突出していることを特徴とする引き戸。
【請求項２】
前記腕部(31)は、弾性を有して可撓性ばねとして機能し、
前記連結部(32)は、前記扉(12)から離れる方向に押されており、
前記腕部(31)の前に設けられたカバーが、前記連結部(32)の所定の位置を決めるべく前記腕部(31)の自由端部分のための支持体を形成していることを特徴とする請求項１に記載の引き戸。
【請求項３】
前記連結部(32)は、前記腕部(31)から突出する突出部(32)であり、該突出部(32)は、前記ダンパ(20)の把持部(17)の凹部(29)に嵌まることを特徴とする請求項１又は２に記載の引き戸。
【請求項４】
前記構造ユニット(35)は、前記扉(12)の左端側又は右端側のダンパ(20)又は連結器(30)と協働するように前記ガイドレール(10)の右端側又は左端側に任意に取り付けられるべく適合されていることを特徴とする請求項１乃至３のいずれかに記載の引き戸。
【請求項５】
前記扉(12)は、ガラス板であることを特徴とする請求項１乃至４のいずれかに記載の引き戸。
【請求項６】
前記構造ユニット(35)は、前記ガイドレール(10)上で長手方向に移動して係止されるべく適合されていることを特徴とする請求項１乃至５のいずれかに記載の引き戸。 
【国際調査報告】
2011524478.tif 000007
2011524478.tif 000008
2011524478.tif 000009
2011524478.tif 000010
2011524478.tif 000011